(57)【特許請求の範囲】
【請求項１】
クロス状に回動可能に連結される第１および第２のフレーム部材を有し、これらフレーム部材の下端部どうしが近接するように折り畳まれた折り畳み状態と上記第１および第２のフレーム部材の下端部どうしが離間するように展開された展開状態とをとりうるように構成されたフレーム構造体と、
上記フレーム構造体の適部に設けられ、傘袋を吊るすための傘袋保持部と、
折り曲げ可能なシート材によって上縁部に開口を有する有底袋状に形成され、上記フレーム構造体に取り付けられる傘袋収容体と、
上記傘袋収容体の外周に取り付けられ、上記傘袋保持部に吊下げられた傘袋を挿通させるための傘袋挿通枠と、を備える、傘袋スタンド。
【請求項２】
上記第１のフレーム部材は、直線状に延び、かつ横方向に離れて位置する一対の第１脚フレームと、これら第１脚フレームの上部どうしを連結する第１上側連結フレームとを備え、
上記第２のフレーム部材は、直線状に延び、かつ横方向に離れて位置する一対の第２脚フレームと、これら第２脚フレームの上部どうしを連結する第２上側連結フレームとを備え、
一対ずつの上記第１および第２脚フレームは、それぞれその中間において横方向の軸回りに回動可能に連結されており、
上記第２脚フレームは、上記フレーム構造体が上記展開状態をとるときに上記第１脚フレームの上端よりも延びる延長部を有し、
上記傘袋保持部は、上記延長部もしくは上記第２上側連結フレームに設けられている、請求項１に記載の傘袋スタンド。
【請求項３】
上記第１のフレーム部材は、上記一対の第１脚フレームの下部どうしを連結する第１下側連結フレームを備え、
上記第２のフレーム部材は、上記一対の第２脚フレームの下部どうしを連結する第２下側連結フレームを備え、
上記フレーム構造体が上記展開状態をとるとき、上記傘袋収容体の下部は、上記第１下側連結フレームと第２下側連結フレームとの間に進入している、請求項２に記載の傘袋スタンド。
【請求項４】
上記傘袋保持部は、上記フレーム構造体が上記展開状態をとるときに横方向に屈曲するフック部を有する、請求項２または３に記載の傘袋スタンド。
【請求項５】
上記第１および第２のフレーム部材の少なくともいずれか一方には、上記フレーム構造体が上記折り畳み状態をとるときに上記第１および第２のフレーム部材を一纏めに保持するためのフレーム保持手段が設けられている、請求項１ないし４のいずれかに記載の傘袋スタンド。
【請求項６】
上記第１および第２のフレーム部材の少なくともいずれか一方には、上記フレーム構造体が上記展開状態をとるときに上記第１および第２のフレーム部材の展開方向への回動を規制するストッパ手段が設けられている、請求項１ないし５のいずれかに記載の傘袋スタンド。
【発明の詳細な説明】
【技術分野】
【０００１】
本発明は、傘袋を吊るすための傘袋保持部と、使用済みの傘袋を収容するための傘袋収容体とを備えた傘袋スタンドに関する。
【背景技術】
【０００２】
店舗などの建物においては、雨天時に来訪者が持参する傘から水滴が落ちて床面等が濡れるのを防止するために、来訪者に濡れた傘を入れるための傘袋が提供される場合がある。傘袋は、一般に、合成樹脂製フィルムによって傘を挿入可能な細長い袋状に形成されたものである。傘袋には、その上部において幅方向に沿うミシン目が形成されるとともに、ミシン目より上方に吊下げ用の孔が形成されている。来訪者に対する傘袋の提供に際しては、たとえば傘袋スタンドが用いられており、傘袋スタンドは、店舗などの入口近傍に配置して利用される。傘袋スタンドとしては、傘袋を吊下げるための傘袋保持部と、使用済みの傘袋を収容するための傘袋収容体とを備えたものが使用される場合がある（たとえば特許文献１を参照）。
【０００３】
特許文献１に開示された傘袋スタンドにおいて、傘袋保持部は、たとえば上向きに屈曲するフック状とされており、この傘袋保持部に傘袋の孔を引っ掛けることにより、傘袋を吊下げることができる。雨天時において、来訪者は、傘袋のミシン目より下方の袋状部分を引き下げることによってミシン目において切り離し、当該袋状部分に濡れた傘を挿入して使用することができる。傘袋収容体は、たとえば上部に開口を有する所定のボックス形状とされており、特許文献１の図１等に表れているように、傘袋保持部よりも手前側に設けられている。来訪者が帰る際、使用済みの傘袋は、上記開口を通じて傘袋収容体の内部に投入されて回収される。このような傘袋スタンドは、たとえば奥方側を建物の壁に隣接するように配置される。
【０００４】
傘袋保持部と傘袋収容体とを備えた傘袋スタンドは、雨天以外の場合において、傘袋収容体がゴミ箱として使用されることもある。特許文献１に開示された傘袋スタンドにおいては、雨天以外の使用において、傘袋保持部およびこれに吊下げられた傘袋をカバーで覆うなどの対応がなされている。
【０００５】
しかしながら、入口近傍のスペースが比較的に狭い店舗などにおいては、入口近傍に配置される傘袋スタンド自体が来訪者の往来の妨げになる場合がある。このような場合、雨天時に傘袋スタンドを配置するのは止むを得ないとしても、雨天以外のときに傘袋スタンドを物置等の保管場所に収納保管することが望まれる。これに対し、上記従来構成の傘袋スタンドにおいては、ボックス形状の傘袋収容体を有することから、保管時の占有スペースが比較的に大きい。したがって、収納保管に適しておらず、使い勝手が悪い場合があった。
【０００６】
また、上記従来の傘袋スタンドでは、雨天時の使用において、傘袋保持部に吊下げられた傘袋は奥方側に位置し、使い終わった傘袋を捨てるための傘袋収容体は手前側に位置する。このため、傘袋を使用する人（傘袋を取る人と捨てる人のいずれも）が、傘袋スタンドの手前側に寄り集まる。その結果、傘袋スタンド付近で人の流れが滞ってしまい、使い勝手が悪いものとなっていた。
【先行技術文献】
【特許文献】
【０００７】
【特許文献１】特開２０００−７２２０１号公報
【発明の概要】
【発明が解決しようとする課題】
【０００８】
本発明は、このような事情のもとで考え出されたものであって、傘袋を吊るすための傘袋保持部と、使用済みの傘袋を収容するための傘袋収容体とを備えた傘袋スタンドにおいて、収納保管に適しており、使い勝手が良好な傘袋スタンドを提供することを課題とする。
【課題を解決するための手段】
【０００９】
上記の課題を解決するため、本発明では、次の技術的手段を講じている。
【００１０】
本発明によって提供される傘袋スタンドは、クロス状に回動可能に連結される第１および第２のフレーム部材を有し、これらフレーム部材の下端部どうしが近接するように折り畳まれた折り畳み状態と上記第１および第２のフレーム部材の下端部どうしが離間するように展開された展開状態とをとりうるように構成されたフレーム構造体と、上記フレーム構造体の適部に設けられ、傘袋を吊るすための傘袋保持部と、折り曲げ可能なシート材によって上縁部に開口を有する有底袋状に形成され、上記フレーム構造体に取り付けられる傘袋収容体と、上記傘袋収容体の外周に取り付けられ、上記傘袋保持部に吊下げられた傘袋を挿通させるための傘袋挿通枠と、を備えることを特徴としている。
【００１１】
このような構成の傘袋スタンドにおいては、雨天時には、フレーム構造体を展開状態にしたうえで、フレーム構造体に設けられた傘袋保持部に傘袋を吊るすことにより、来訪者への傘袋の安定供給が可能である。雨天以外の場合には、フレーム構造体は、第１および第２のフレーム部材の下端部どうしを近接させることにより、折り畳み状態をとらせることができる。傘袋収容体は、折り曲げ可能なシート材によって構成されているため、フレーム構造体に取り付けられたままコンパクトに折り重ねることが可能である。したがって、上記構成の傘袋スタンドによれば、雨天以外の不使用時には、簡単な操作によって傘袋スタンド全体をコンパクトに嵩張らない状態にすることが可能であり、収納保管に適している。傘袋挿通枠を備える構成によれば、多数積層した状態で吊下げられた傘袋が散らかるのを防止することができる。
【００１２】
好ましい実施の形態においては、上記第１のフレーム部材は、直線状に延び、かつ横方向に離れて位置する一対の第１脚フレームと、これら第１脚フレームの上部どうしを連結する第１上側連結フレームとを備え、上記第２のフレーム部材は、直線状に延び、かつ横方向に離れて位置する一対の第２脚フレームと、これら第２脚フレームの上部どうしを連結する第２上側連結フレームとを備え、一対ずつの上記第１および第２脚フレームは、それぞれその中間において横方向の軸回りに回動可能に連結されており、上記第２脚フレームは、上記フレーム構造体が上記展開状態をとるときに上記第１脚フレームの上端よりも延びる延長部を有し、上記傘袋保持部は、上記延長部もしくは上記第２上側連結フレームに設けられている。
【００１３】
上記構成によれば、第１および第２のフレーム部材は、それぞれ、一対の脚フレームとこれら脚フレームの上部どうしを連結する第１または第２上側連結フレームとを備えた門型を有する構成とされているので、展開状態において安定して設置することができる。また、直線状に延びる第２脚フレームは、フレーム構造体が展開状態をとるときに第１のフレーム部材の第１脚フレームの上端よりも上方に延びる延長部を有し、この延長部もしくは第２上側連結フレームに傘袋保持部が設けられている。したがって、傘袋保持部は、比較的に高い位置に設けられており、傘袋収容体の外周面よりも外側に変位した位置にあるので、長さ寸法が比較的に大きい傘袋を適切に吊下げることができ、使い勝手が良好である。
【００１４】
好ましい実施の形態においては、上記第２のフレーム部材は、上記第２上側連結フレームよりも下方に位置し、かつ上記一対の第２脚フレームどうしを連結する第２中間連結フレームを有し、上記傘袋収容体の上縁部には、上記第１上側連結フレームおよび上記第２中間連結フレームのそれぞれを包むように折り返して上記傘袋収容体を上記フレーム構造体に着脱可能に取り付けるための折り返し部が設けられている。このような構成によれば、傘袋収容体をフレーム構造体に対して簡単かつ適切に取り付けることができ、また、傘袋収容体が損傷した場合には、当該傘袋収容体を容易に取り替えることができる。
【００１５】
好ましい実施の形態においては、上記第１のフレーム部材は、上記一対の第１脚フレームの下部どうしを連結する第１下側連結フレームを備え、上記第２のフレーム部材は、上記一対の第２脚フレームの下部どうしを連結する第２下側連結フレームを備え、上記フレーム構造体が上記展開状態をとるとき、上記傘袋収容体の下部は、上記第１下側連結フレームと第２下側連結フレームとの間に進入している。このような構成によれば、フレーム構造体を折り畳むべく第１および第２のフレーム部材の下端部どうしを近接させると、第１および第２下側連結フレームが互いに近接し、傘袋収容体の下部が第１および第２下側連結フレームによって押えられる。その結果、傘袋収容体は下部においても適切に折り重ねられた状態になり、コンパクトな状態で保管するのに適する。
【００１６】
好ましい実施の形態においては、上記傘袋保持部は、上記フレーム構造体が上記展開状態をとるときに横方向に屈曲するフック部を有する。このような構成によれば、たとえば上向きのフック部を有する場合と比べて、来訪者が傘袋を取るときに不用意に衣類などを引っ掛けてしまうといった不都合を回避することができる。
【００１７】
好ましい実施の形態においては、上記傘袋保持部は、上記フック部の先端がさらに前後方向に屈曲させられて平面視略Ｊ字状をなしている。傘袋スタンドの設置に際しては、傘袋の補充回数を減らすべく傘袋保持部により多くの傘袋が吊るされる傾向にあるところ、フック部の先端が屈曲させられた上記構成によれば、傘袋が傘袋保持部から不当に脱落するのを防止することができる。
【００１９】
好ましい実施の形態においては、上記第１および第２のフレーム部材の少なくともいずれか一方には、上記フレーム構造体が折り畳み状態をとるときに上記第１および第２のフレーム部材を一纏めに保持するためのフレーム保持手段が設けられている。このような構成によれば、フレーム構造体が折り畳み状態をとるときに第１および第２のフレーム部材が不当に展開するのを防止することができるので、収納保管時の取り扱いに優れる。
【００２０】
好ましい実施の形態においては、上記第１および第２のフレーム部材の少なくともいずれか一方には、上記フレーム構造体が展開状態をとるときに上記第１および第２のフレーム部材の展開方向への回動を規制するストッパ手段が設けられている。このような構成によれば、フレーム構造体が展開状態をとるときに第１および第２のフレーム部材が不当に展開するのを防止することができる。
【００２１】
好ましい実施の形態においては、上記ストッパ手段は、上記第１および第２のフレーム部材のそれぞれにつながる屈曲可能な連結部材を含んで構成され、上記連結部材は、上記フレーム構造体が展開状態をとるときに伸展する。このような構成によれば、ストッパ手段を比較的に簡単な構成によって実現することが可能である。
【００２２】
好ましい実施の形態においては、上記傘袋収容体の上縁部には、当該傘袋収容体の内部に収容される袋体の開口縁部を保持する袋体保持手段が設けられている。このような構成によれば、必要に応じて傘袋収容体の内部に袋体を保持させておくことにより、上記袋体の内部に使用済みの傘袋を回収することができるので、使い勝手が良好である。
【００２３】
本発明のその他の特徴および利点は、添付図面を参照して以下に行う詳細な説明によって、より明らかとなろう。
【図面の簡単な説明】
【００２４】
【図１】本発明に係る傘袋スタンドの一例を示す全体斜視図である。
【図２】図１に示す傘袋スタンドの正面図である。
【図３】図１に示す傘袋スタンドの右側面図である。
【図４】図１に示す傘袋スタンドの平面図である。
【図５】図１に示す傘袋スタンドの折り畳み状態を示す右側面図である。
【図６】傘袋収容体を示す斜視図である。
【図７】袋体保持手段を示す斜視図である。
【発明を実施するための形態】
【００２５】
以下、本発明の好ましい実施の形態について、図面を参照して具体的に説明する。
【００２６】
図１〜図５は、本発明に係る傘袋スタンドの一例を示している。本実施形態の傘袋スタンドＡは、フレーム構造体１と、このフレーム構造体１に設けられた傘袋保持部２と、フレーム構造体１に取り付けられる傘袋収容体３とを備えて構成されている。なお、図２、図３、および図５においては、傘袋収容体３を二点鎖線で表しており、図４においては傘袋収容体３を省略している。
【００２７】
図１〜図３に表れているように、フレーム構造体１は、クロス状に回動可能に連結された一対のフレーム部材１１，１２を備えている。フレーム部材１１は、直線状に延びるとともに横方向（図中のＸ１−Ｘ２方向）に離れて位置する左右一対の脚フレーム１１ａ，１１ａと、これら脚フレーム１１ａ，１１ａどうしを連結する連結フレーム１１ｂ，１１ｃとを有している。連結フレーム１１ｂは、脚フレーム１１ａ，１１ａの上部どうし（本実施形態では上端どうし）を連結している。一対の脚フレーム１１ａ，１１ａおよび連結フレーム１１ｂは、たとえば直線状に延びる金属製パイプを適宜折り曲げて形成される。詳細は後述するが、連結フレーム１１ｂは、傘袋収容体３を取り付けるための部分である。連結フレーム１１ｃは、脚フレーム１１ａ，１１ａの下部どうしを連結している。連結フレーム１１ｃは、たとえばフラットバーからなり、溶接あるいはボルト締結などの適宜手段によって両端部が脚フレーム１１ａ，１１ａに連結される。このような連結構造により、一対の脚フレーム１１ａ，１１ａは、互いに平行となっている。
【００２８】
フレーム部材１２は、直線状に延びるとともに横方向に離れて位置する左右一対の脚フレーム１２ａ，１２ａと、これら脚フレーム１２ａ，１２ａどうしを連結する連結フレーム１２ｂ，１２ｃ，１２ｄとを有している。連結フレーム１２ｂは、脚フレーム１２ａ，１２ａの上部どうし（本実施形態では上端どうし）を連結している。一対の脚フレーム１２ａ，１２ａおよび連結フレーム１２ｂは、たとえば直線状に延びる金属製パイプを適宜折り曲げて形成される。連結フレーム１２ｃは、連結フレーム１２ｂよりも下方に位置し、脚フレーム１２ａ，１２ａの中間どうしを連結している。詳細は後述するが、連結フレーム１２ｃは、傘袋収容体３を取り付けるための部分である。連結フレーム１２ｄは、脚フレーム１２ａ，１２ａの下部どうしを連結している。連結フレーム１２ｃ，１２ｄは、たとえばフラットバーからなり、溶接あるいはボルト締結などの適宜手段によってそれぞれの両端部が脚フレーム１２ａ，１２ａに連結される。このような連結構造により、一対の脚フレーム１２ａ，１２ａは互いに平行となっている。
【００２９】
図２および図３に表れているように、フレーム部材１２の脚フレーム１２ａは、フレーム部材１１の脚フレーム１１ａよりも長尺とされている。一対の脚フレーム１２ａ，１２ａの横方向における内側寸法は、一対の脚フレーム１１ａ，１１ａの横方向における外側寸法よりも僅かに大きくされており、脚フレーム１２ａ，１２ａの内側に脚フレーム１１ａ，１１ａが位置している。そして、互いに対をなす脚フレーム１１ａ，１２ａは、それぞれその中間において横方向の回動軸Ｏ１周りに回動可能に連結されている。かかる構成により、フレーム部材１１，１２は、クロス状に回動可能に連結されている。なお、本実施形態では、脚フレーム１１ａの下端から回動軸Ｏ１までの寸法と、脚フレーム１２ａの下端から回動軸Ｏ１までの寸法とが略同一とされており、また、脚フレーム１１ａの下端から連結フレーム１１ｃまでの寸法と、脚フレーム１２ａの下端から連結フレーム１２ｄまでの寸法とが略同一とされている。さらに、脚フレーム１１ａの長手方向寸法と、脚フレーム１２ａの下端から連結フレーム１２ｃまでの寸法とが略同一とされている。
【００３０】
そして、上記構成のフレーム構造体１においては、フレーム部材１１，１２を適宜回動させることにより、対をなす脚フレーム１１ａ，１２ａの下端部どうしが前後方向（図中のＹ１−Ｙ２方向）に離間する展開状態（図３参照）と、これら脚フレーム１１ａ，１２ａの下端部どうしが近接する折り畳み状態（図５参照）とをとることができる。詳細については後述するが、フレーム構造体１が展開状態をとるとき、ストッパ手段５により、フレーム部材１１，１２の展開方向への回動が規制されており、フレーム構造体１が折り畳み状態をとるとき、フレーム保持手段６により、当該折り畳み状態が維持される。なお、図５においては、展開状態をとるとときのフレーム部材１１，１２を二点鎖線で表している。
【００３１】
図３によく表れているように、フレーム構造体１が展開状態をとるとき、各脚フレーム１２ａは、各脚フレーム１１ａの上端よりも上方に延びる部分（以下、延長部１２１ａという）を有している。本実施形態では、フレーム構造体１が図３に示す展開状態をとるとき、フレーム部材１２の連結フレーム１２ｃとフレーム部材１１の連結フレーム１１ｂとは略同じ高さに位置しており、延長部１２１ａは、連結フレーム１２ｃに対して、高さ方向における上方に位置し、かつ前後方向における前方に位置している。延長部１２１ａには、傘袋保持部２を取り付けるためのステー１２２が連結されている。
【００３２】
傘袋保持部２は、ステー１２２を介して延長部１２１ａに設けられている。図４に表れているように、ステー１２２は、たとえばフラットバーを折り曲げることにより平面視略コの字状に形成されたものであり、脚フレーム１２ａの上端から少し下がった位置に連結されている。ステー１２２は、傘袋保持部２を固定するための固定バー１２２ａを備え、この固定バー１２２ａは、脚フレーム１２との連結部よりもやや後方に位置している。より詳細には、図４に示すように、固定バー１２２ａは、平面視において連結フレーム１２ｃよりも少し前方に位置している。
【００３３】
傘袋保持部２は、傘袋Ｂを吊るすためのものであり、たとえば丸棒を屈曲させることにより、平面視において略Ｊ字状をなしている。傘袋保持部２は、基端が溶接などの適宜手段により固定バー１２２ａに固定されて前方に延びる吊下げ部２１と、この吊下げ部２１の先端において横方向に屈曲するフック部２２とを有する。フック部２２の先端はさらに屈曲させられて後方に延びている。
【００３４】
傘袋Ｂは、たとえば合成樹脂フィルムによって細長い袋状に形成されたものであり、図１および図２に表れているように、上部において幅方向に沿うミシン目Ｂ１が形成されるとともに、ミシン目Ｂ１より上方に吊下げ用の孔が形成されている。かかる構成の傘袋Ｂは、多数積層された状態で取り扱われ、上記孔を、フック部２２を通じて吊下げ部２１に引っ掛けることにより、吊下げ部２１（傘袋保持部２）に吊下げられる。
【００３５】
傘袋収容体３は、使用済みの傘袋Ｂを収容するためのものであり、図６に表れているように、上縁部に開口を有する有底袋状とされている。傘袋収容体３は、４つの側面３１〜３４によって形成された矩形断面を有する筒状部の底部が底面３５によって閉塞された構成とされている。これら側面３１〜３４および底面３５からなる傘袋収容体３は、たとえば布製あるいは樹脂製などからなる折り曲げ可能なシート材を適宜縫製などの手段によって接合することによって形成される。なお、傘袋収容体３からの水漏れ防止あるいは外観体裁を整える観点から、必要に応じて、縁取り用のシート片を、上記の接合する部分ないし側面３１〜３４の上縁部を覆うように縫製固定してもよい。
【００３６】
傘袋収容体３の側面３１〜３４のうち、対向する側面３１，３３は、フレーム構造体１における前方正面および後方背面を囲う部分であり、他の対向する側面３２，３４は、フレーム構造体１における右側面および左側面を囲う部分である。側面３１，３３のそれぞれの上縁部は、側面３２，３４の上端よりも上方に延びており、当該側面３１，３３の上縁部は、傘袋収容体３をフレーム構造体１に取り付ける際に利用される折り返し部３１ａ，３３ａとされている。折り返し部３１ａ，３３ａの内側には、たとえばホックあるいは面ファスナなどからなる係合部３１ｂ，３３ｂが設けられており、当該係合部３１ｂ，３３ｂによって折り返し部３１ａ，３３ａを折り返した状態で保持することができる。かかる構成により、図３に表れているように、傘袋収容体３は、折り返し部３１ａを連結フレーム１２ｃに、折り返し部３３ａを連結フレーム１１ｂに、それぞれを包み込むように折り返して、フレーム構造体１に対して着脱可能に取り付けられる。
【００３７】
図１〜図３に表れているように、フレーム構造体１に取り付けられた傘袋収容体３は、フレーム構造体１が展開状態をとるとき、クロス状のフレーム部材１１，１２の間に位置しており、また、傘袋収容体３の下部は、フレーム部材１１の連結フレーム１１ｃとフレーム部材１２の連結フレーム１２ｄとの間から下方に進入している。
【００３８】
また、傘袋収容体３の側面３１の外周部には、傘袋挿通枠３６が取り付けられている。傘袋挿通枠３６は、多数積層された状態で吊るされる傘袋Ｂを当該傘袋挿通枠３６の内側に挿通させることにより、傘袋Ｂが散らかるのを防止するためのものである。本実施形態では、図６に表れているように、傘袋挿通枠３６は、帯状のシート材からなり、たとえば側面３１および傘袋挿通枠３６に設けられた面ファスナ３１ｃ，３６ａによって、側面３１に対して着脱可能に取り付けられる。帯状のシート材からなる傘袋挿通枠３６は、傘袋収容体３を構成するシート材と同一の材料によって構成することができる。なお、傘袋挿通枠３６の外周部には、傘袋Ｂの利用を促すための表示記載がなされていてもよい。また、側面３１に対向する側面３３の外周部には、使用済みの傘袋Ｂの回収を促すための表示記載がなされていてもよい。
【００３９】
傘袋収容体３の内部には、袋体保持手段４が設けられている。袋体保持手段４は、傘袋収容体３の内部の水濡れ防止あるいは収容した傘袋Ｂを取り扱う際の便宜などの観点から、傘袋収容体３の内部にポリ袋などの袋体（図示略）を開口状態で保持するためのものであり、傘袋収容体３の上端部に合計４個設けられている。より詳細には、袋体保持手段４は、側面３１〜３４のそれぞれの上端部の内面側に１個ずつ設けられている。各袋体保持手段４は、図７に表れているように、たとえば先端部が自由端とされたシート材からなる一対のべら部４１，４２を有し、これらべら部４１，４２のうち一方のべら部４１の先端部側には雄ホック４１ａが設けられており、他方のべら部４２の先端部側には雌ホック４２ａが設けられている。すなわち、雄ホック４１ａを雌ホック４２ａに嵌合させることによって各べら部４１，４２の先端どうしが連結されるようになっている。対をなすべら部４１，４２は、たとえば一連のシート材が基端部において折り返されたうえで当該基端部が側面３１〜３４に縫製固定されている。上記構成の袋体保持手段４により、傘袋収容体３の内部に収容される袋体の開口端部を挟んで保持することができる。
【００４０】
図１〜図３に表れているストッパ手段５は、フレーム構造体１が展開状態をとるとき、フレーム部材１１，１２の下端どうしがさらに離間する展開方向への回動を規制するためのものである。本実施形態では、ストッパ手段５は、フレーム部材１１，１２のそれぞれにつながる屈曲可能な２本のベルト５１，５２を備えて構成されている。ベルト５１，５２は、正面視におけるフレーム構造体１（フレーム部材１１，１２）の右側および左側にそれぞれ設けられており、両端部が脚フレーム１１ａ（１２ａ）ないし連結フレーム１１ｃ（１２ｄ）に固定されている。これらベルト５１，５２は、フレーム構造体１が展開状態をとるときに伸展するように、その長さが設定されている。
【００４１】
図２、図３および図５に表れているフレーム保持手段６は、フレーム構造体１が折り畳み状態をとるとき、フレーム部材１１，１２を一纏めに保持するためのものであり、たとえばフレーム部材１１の下部に設けられている。フレーム保持手段６は、図３に表れているように、たとえば先端部が自由端とされたシート材からなる一対のべら部６１，６２を有し、これらべら部６１，６２のうち一方のべら部６１の先端部側には雄ホックが設けられており、他方のべら部６２の先端部側には雌ホックが設けられている。すなわち、上記雄ホックを上記雌ホックに嵌合させることによってべら部６１，６２の先端どうしが連結されるようになっている。べら部６１，６２は、たとえば一連のシート材が基端部において折り返されたうえで当該基端部がフレーム部材１１の脚フレーム１１ａの下部に固定されている。上記構成のフレーム保持手段６により、フレーム構造体１が折り畳み状態をとるとき、図５に示すように、フレーム部材１１，１２を一纏めに保持することができる。
【００４２】
次に、上記構成の傘袋スタンドＡの作用について説明する。
【００４３】
本実施形態の傘袋スタンドＡは、雨天時において、図１〜図４に示すようにフレーム構造体１を展開状態にしたうえで、店舗などの建物の入口近傍に配置される。図面に示された傘袋スタンドＡについては、傘袋Ｂが前方（Ｙ１方向）に向いており、傘袋収容体３が後方側（Ｙ２方向）に配されている。ここで、傘袋スタンドＡは、前方（Ｙ１方向）が建物の外側に向くように置かれている。このとき、フレーム構造体１は、フレーム部材１１，１２（脚フレーム１１ａ，１２ａ）の下端部どうしが離間するように展開されており、安定した状態で自立する。そして、フレーム構造体１に設けられた傘袋保持部２に多数の傘袋Ｂを吊るしておくことにより、来訪者への傘袋の安定供給が可能である。来訪者は、たとえば建物に入るときには、来訪者から見て手前側（Ｙ１方向）に向けられた傘袋Ｂのミシン目Ｂ１より下方の袋状部分を引き下げることによってミシン目Ｂ１において切り離し、当該袋状部分に濡れた傘を挿入して使用することができる。また、フレーム構造体１には、上縁部に開口を有する有底袋状の傘袋収容体３が取り付けられているため、来訪者が帰る際には、使用済みの傘袋Ｂは、上記開口を通じて傘袋収容体３の内部に投入されて回収される。
【００４４】
雨天以外の場合には、図５を参照して上述したように、フレーム構造体１は、フレーム部材１１，１２を回動軸Ｏ１周りに回動させて脚フレーム１１ａ，１２ａの下端部どうしを近接させることにより、折り畳み状態をとらせることができる。ここで、傘袋収容体３は、折り曲げ可能なシート材によって構成されているため、フレーム構造体１に取り付けられたままコンパクトに折り重ねることが可能である。したがって、本実施形態の傘袋スタンドＡによれば、雨天以外の不使用時には、簡単な操作によって傘袋スタンドＡ全体をコンパクトに嵩張らない状態にすることが可能であり、収納保管に適している。
【００４５】
傘袋スタンドＡにおいては、フレーム部材１１（１２）は、一対の脚フレーム１１ａ（１２ａ）とこれら脚フレーム１１ａ（１２ａ）の上部どうしを連結する連結フレーム１１ｂ（１２ｂ）とを備えた門型を有する構成とされているので、展開状態において安定して設置することができる。
【００４６】
また、フレーム部材１２の脚フレーム１２ａは、フレーム構造体１が展開状態をとるときにフレーム部材１１の脚フレーム１１ａの上端よりも上方に延びる延長部１２１ａを有し、この延長部１２１ａに傘袋保持部２が設けられている。すなわち、図１〜図３に表れているように、傘袋保持部２は、比較的に高い位置に設けられており、傘袋収容体３の外周面よりも外側に変位した位置（本実施形態では傘袋収容体３よりも前方であるＹ１方向寄りの位置）にあるので、長さ寸法が比較的に大きい傘袋Ｂを適切に吊下げることができ、使い勝手が良好である。
【００４７】
上述したように、来訪者が建物に入るときには、傘袋Ｂは来訪者から見て手前側（Ｙ１方向）に向けられている。一方、建物から出るときには、来訪者は建物に入る際と反対側に向いて進む。このとき、傘袋収容体３は、来訪者から見て手前側（Ｙ２方向）に配されている。したがって、建物入口においては、傘袋Ｂを取るときと捨てるときのいずれの場合でも、傘袋Ｂを使用する人から見て手前側に必要とする傘袋Ｂや傘袋収容体３が向いている。その結果、傘袋スタンドＡ付近で人の流れが滞ることはなく、使い勝手が良好である。
【００４８】
さらに、傘袋スタンドＡにおいては、図５を参照すると理解できるように、傘袋Ｂを傘袋保持部２に吊るしたまま折り畳むことが可能であるので、収納保管時の取り扱いに優れる。
【００４９】
フレーム構造体１が展開状態をとるとき、傘袋収容体３の下部は、フレーム部材１１の連結フレーム１１ｃとフレーム部材１２の連結フレーム１２ｄとの間から下方に進入している（図３参照）。かかる構成によれば、フレーム構造体１を折り畳むべくフレーム部材１１，１２の下端部どうしを近接させると、連結フレーム１１ｃ，１２ｄが互いに近接し、傘袋収容体３の下部が連結フレーム１１ｃ，１２ｄによって押えられる。その結果、図５に表れているように、傘袋収容体３は下部においても適切に折り重ねられた状態になり、コンパクトな状態で保管するのに適する。
【００５０】
傘袋収容体３の上縁部には、当該傘袋収容体３をフレーム構造体１に取り付ける際に利用される折り返し部３１ａ，３３ａが設けられている。傘袋収容体３は、折り返し部３１ａ，３３ａを連結フレーム１１ｂ，１２ｃを包み込むように折り返した状態でフレーム構造体１に着脱可能に取り付けられている。このように、傘袋収容体３をフレーム構造体１に対して簡単かつ適切に取り付けることができ、また、傘袋収容体３が損傷した場合には、当該傘袋収容体３を容易に取り替えることができる。
【００５１】
傘袋保持部２は、前方に延びる吊下げ部２１とこの吊下げ部２１の先端において横方向に屈曲するフック部２２を有している。これにより、たとえば本実施形態とは異なる上向きのフック部を有する場合と比べて、来訪者が傘袋Ｂを取るとき不用意に衣類などを引っ掛けてしまうといった不都合を回避することができる。また、フック部２２の先端はさらに屈曲させられて後方に延びており、傘袋保持部２は全体として平面視略Ｊ字状をなしている。傘袋スタンドＡの設置に際しては、傘袋Ｂの補充回数を減らすべく吊下げ部２１（傘袋保持部２）により多くの傘袋Ｂが吊るされる傾向にあるところ、フック部２２の先端が屈曲させられた上記構成によれば、傘袋Ｂが傘袋保持部２から不当に脱落するのを防止することができる。
【００５２】
本実施形態では、傘袋保持部２に吊下げられた傘袋Ｂを挿通させるための傘袋挿通枠３６が設けられているため、多数積層した状態で吊下げられた傘袋Ｂが散らかるのを防止することができる。
【００５３】
本実施形態では、フレーム構造体１が展開状態をとるときにフレーム部材１１，１２の展開方向への回動を規制するストッパ手段５が設けられている。これにより、フレーム構造体１が所定の展開状態をとるときにフレーム部材１１，１２が不当に展開するのを防止することができる。また、ストッパ手段５は、フレーム構造体１が展開状態をとるときに伸展するベルト５１，５２を含んで構成されている。かかる構成によれば、ストッパ手段５を比較的に簡単な構成によって実現することができる。
【００５４】
本実施形態では、図２、図３および図５を参照して上述したように、フレーム部材１１，１２を一纏めに保持するためのフレーム保持手段６が設けられている。かかる構成によれば、フレーム構造体１が折り畳み状態をとるときにフレーム部材１１，１２が不当に展開するのを防止することができるので、収納保管時の取り扱いに優れる。
【００５５】
本実施形態では、傘袋収容体３の上縁部には、当該傘袋収容体３の内部に収容される袋体の開口端部を保持するための袋体保持手段４が設けられている。かかる構成によれば、必要に応じて傘袋収容体３の内部に袋体を保持させておくことにより、上記袋体の内部に使用済みの傘袋Ｂを回収することができるので、使い勝手が良好である。
【００５６】
以上、本発明の具体的な実施形態を説明したが、本発明はこれに限定されるものではなく、発明の思想から逸脱しない範囲内で種々な変更が可能である。本発明に係る傘袋スタンドの各部の具体的な形状や材質なども、上記実施形態に限定されるものではない。
【００５７】
上記実施形態においては、フレーム構造体１を構成するフレーム部材１１，１２（第１および第２のフレーム部材）は、それぞれ門型を有する構成とされていたが、これに限定されるものではない。第１および第２のフレーム部材については、クロス状に回動可能に連結され、かつ、下端部どうしが近接する折り畳み状態と下端部どうしが離間する展開状態とをとりうるものであれば、他の構成を採用してもよい。
【００５８】
上記実施形態では、傘袋保持部２は、ステー１２２を介してフレーム部材１２の延長部１２１ａに設けられていたが、これに限定されるものではなく、たとえばフレーム部１２の上端に位置する連結フレーム１２ｂに設けることもできる。また、上記実施形態では、傘袋保持部２は、吊下げ部２１が前方に延びて平面視略Ｊ字状とされていたが、これに限定されない。たとえば傘袋保持部２を連結フレーム１２ｂに設ける場合には、傘袋保持部２は、吊下げ部２１が後方に延びる構成としてもよく、傘袋保持部２の具体的な形状についても適宜変更が可能である。
【００５９】
上記実施形態では、傘袋挿通枠３６について、長手方向（図中のＸ１−Ｘ２方向）両端に面ファスナ３６ａが設けられた構成例について説明したが、傘袋挿通枠３６の傘袋収容体３の外周に対する取り付け構造は、これに限定されない。たとえば、傘袋挿通枠３６の長手方向の一端を傘袋収容体３の外周に縫製固定し、他端を面ファスナによって傘袋収容体３の外周に着脱可能に取り付けてもよい。また、上記実施形態では、傘袋挿通枠３６は、幅の広い帯状のシート材からなる場合を例に挙げて説明したが、これに限定されない。傘袋挿通枠は、幅の狭いバンド状のもの、あるいはワイヤ状のものによって構成してもよい。
【００６０】
上記実施形態において、ストッパ手段５は、フレーム部材１１，１２のそれぞれにつながる屈曲可能なベルト５１，５２によって構成されていたが、これに代えて、たとえばチェーンやワイヤなどの屈曲可能な他の部材によって構成してもよい。また、ストッパ手段５は、屈曲可能な連結部材を用いない構成とすることもできる。ストッパ手段５としては、たとえば回動軸Ｏ１の近傍においてフレーム部材１１，１２のいずれか一方に設けられた固定部材を備え、フレーム部材１１，１２が所定の展開状態をとるときに、上記固定部材が他方のフレーム部材に当接することにより、展開方向への回動を規制するように構成してもよい。
【符号の説明】
【００６１】
Ａ        傘袋スタンド
Ｂ        傘袋
Ｂ１      ミシン目
Ｏ１      回動軸
１        フレーム構造体
２        傘袋保持部
３        傘袋収容体
４        袋体保持手段
５        ストッパ手段
６        フレーム保持手段
１１      フレーム部材（第１のフレーム部材）
１１ａ    脚フレーム（第１脚フレーム）
１１ｂ    連結フレーム（第１上側連結フレーム）
１１ｃ    連結フレーム（第１下側連結フレーム）
１２      フレーム部材（第２のフレーム部材）
１２ａ    脚フレーム（第２脚フレーム）
１２ｂ    連結フレーム（第２上側連結フレーム）
１２ｃ    連結フレーム（第２中間連結フレーム）
１２ｄ    連結フレーム（第２下側連結フレーム）
１２１ａ    延長部
１２２    ステー
１２２ａ    固定バー
２１      吊下げ部
２２      フック部
３１，３２，３３，３４    側面
３１ａ，３３ａ    折り返し部
３１ｂ，３３ｂ    係合部
３５      底面
３６      傘袋挿通枠
４１，４２    べら部
４１ａ    雄ホック
４２ａ    雌ホック
５１，５２    ベルト（連結部材）
【図１】
0005722590.tif 000002
【図２】
0005722590.tif 000003
【図３】
0005722590.tif 000004
【図４】
0005722590.tif 000005
【図５】
0005722590.tif 000006
【図６】
0005722590.tif 000007
【図７】
0005722590.tif 000008